(57)【要約】      （修正有）【課題】昇降装置に対する遠隔監視システムの動作確認を一人の技術員によって行うことのできる昇降装置の遠隔監視動作確認システムを提供することを課題とする。【解決手段】本発明は、情報出力部２１を有する昇降装置と、情報出力部２１と通信可能な通信部を有する遠隔監視ユニット３と、遠隔監視ユニット３の通信部に第一の通信系統Ｒ１を介して接続された監視端末４と、第一の通信系統Ｒ１と異なる第二の通信系統Ｒ２を介して監視端末４に接続可能な技術員携帯端末５と、を備え、技術員携帯端末５は、第一の通信系統Ｒ１及び第二の通信系統Ｒ２を介して遠隔監視ユニット３と通信可能であることを特徴とする。【選択図】図１
2018058688.tif 000002
【特許請求の範囲】
【請求項１】
自身の状態に関する情報を出力する情報出力部を有する昇降装置と、
前記情報出力部と通信可能な通信部を有する遠隔監視ユニットと、
前記遠隔監視ユニットの前記通信部に第一の通信系統を介して接続された監視端末と、
前記第一の通信系統と異なる第二の通信系統を介して前記監視端末に接続可能な技術員携帯端末と、を備え、
前記技術員携帯端末は、前記第一の通信系統及び前記第二の通信系統を介して前記遠隔監視ユニットと通信可能である、遠隔監視動作確認システム。
【請求項２】
前記第一の通信系統は、電話回線を含み、
前記技術員携帯端末は、前記第一の通信系統の電話回線を介して前記遠隔監視ユニットの通信部に接続可能である、請求項１に記載の遠隔監視動作確認システム。
【請求項３】
前記技術員携帯端末は、前記第一の通信系統及び前記第二の通信系統と異なる第三の通信系統を介して前記遠隔監視ユニットの通信部に接続可能である、請求項１又は２に記載の遠隔監視動作確認システム。
【請求項４】
少なくとも前記技術員携帯端末に対して通信可能に接続されたサーバーを備え、
前記サーバーは、前記昇降装置の状態に関する情報を前記技術員携帯端末に出力させる第１実行ファイルを有し、
前記技術員携帯端末は、前記第１実行ファイルを操作可能なブラウザを有する、請求項１〜３のいずれか１項に記載の遠隔監視動作確認システム。
【請求項５】
前記遠隔監視ユニットは、前記監視端末を介して前記昇降装置の状態に関する情報を前記技術員携帯端末に送り、
前記ブラウザは、前記第１実行ファイルの実行により、前記技術員携帯端末に前記昇降装置の状態に関する情報を出力させる、請求項４に記載の遠隔監視動作確認システム。
【請求項６】
前記技術員携帯端末は、前記昇降装置の状態に関する情報を該技術員携帯端末に出力させる第２実行ファイルを有し、
前記遠隔監視ユニットは、前記昇降装置の状態に関する情報を前記技術員携帯端末に送り、前記第２実行ファイルの実行によって前記技術員携帯端末に前記昇降装置の状態に関する情報を出力させる、請求項１〜３のいずれか１項に記載の遠隔監視動作確認システム。
【発明の詳細な説明】
【技術分野】
【０００１】
本発明は、エレベータやエスカレータ等の昇降装置の遠隔監視システムの動作確認を行うための遠隔監視動作確認システムに関する。
【背景技術】
【０００２】
従来から、昇降装置の動作状況を監視する遠隔監視システムが知られている。この遠隔監視システムは、動作を制御するための制御マイコンを含む昇降装置と、昇降装置に接続されている端末装置を介して制御マイコンと通信可能に接続され、昇降装置の動作を遠隔で監視するための端末と、を備える（特許文献１参照）。
【０００３】
かかる遠隔監視システムでは、昇降装置（詳しくは、制御マイコン）からの信号を基に、昇降装置から離れた位置にある監視センタ等に配置された端末が、該監視センタ等の監視員に昇降装置の動作状況を報知する。
【先行技術文献】
【特許文献】
【０００４】
【特許文献１】特開２００３−２１２４４７号公報
【発明の概要】
【発明が解決しようとする課題】
【０００５】
ところで、新設の昇降装置や補修後の昇降装置等において、遠隔監視システムを作動させて昇降装置の遠隔監視を開始する前段として、遠隔監視の対象となる昇降装置の動作や該昇降装置と監視センタとの通信が適正に行われるか否かの確認を通じて、該昇降装置の遠隔監視システムの動作確認を行う必要がある。この確認では、技術員が現地にて昇降装置の動作を確認すると共に、監視員が監視センタにて、昇降装置から監視センタに送信すべき信号が該センタにおいて受信できているか否かを確認する。そのため、従来の遠隔監視システムでは、現地の技術員と監視センタの監視員との両名によって動作確認を行わなければならず、非常に効率が悪い。
【０００６】
そこで、本発明は、昇降装置に対する遠隔監視システムの動作確認を一人の技術員によって行うことのできる昇降装置の遠隔監視動作確認システムを提供することを課題とする。
【課題を解決するための手段】
【０００７】
本発明の遠隔監視動作確認システムは、自身の状態に関する情報を出力する情報出力部を有する昇降装置と、前記情報出力部と通信可能な通信部を有する遠隔監視ユニットと、前記遠隔監視ユニットの前記通信部に第一の通信系統を介して接続された監視端末と、前記第一の通信系統と異なる第二の通信系統を介して前記監視端末に接続可能な技術員携帯端末と、を備え、前記技術員携帯端末は、前記第一の通信系統及び前記第二の通信系統を介して前記遠隔監視ユニットと通信可能である。
【０００８】
かかる構成によれば、技術員携帯端末は、第一の通信系統及び第二の通信系統を通じて遠隔監視ユニットと通信することで、昇降装置の動作を確認できると共に、第二の通信系統を通じて監視端末と通信することで、該監視端末が遠隔監視ユニットから昇降装置の状態に関する情報を受信できているか否か（即ち、第一の通信系統への遠隔監視ユニットの接続の有無等）も確認できる。これにより、技術員が技術員携帯端末を所持することで、昇降装置の遠隔監視システムを実行できる状態であるか否かを、一人の技術員によって確認することができる。
【０００９】
前記遠隔監視動作確認システムにおいて、前記第一の通信系統は、電話回線を含み、前記技術員携帯端末は、前記第一の通信系統の電話回線を介して前記遠隔監視ユニットの通信部に接続可能であってもよい。
【００１０】
かかる構成によれば、電話回線を介して技術員携帯端末を遠隔監視ユニットの通信部に接続できるため、監視端末を介することなく、遠隔監視ユニットが電話回線に接続されているか否かの確認を行うことができる。
【００１１】
また、前記遠隔監視動作確認システムでは、前記技術員携帯端末は、前記第一の通信系統及び前記第二の通信系統と異なる第三の通信系統を介して前記遠隔監視ユニットの通信部に接続可能であってもよい。
【００１２】
かかる構成によれば、技術員携帯端末を第三の通信系統を介して遠隔監視ユニットに接続することで、遠隔監視ユニットの第一の通信系統への接続の有無にかかわらず、技術員携帯端末によって昇降装置の動作確認をすることが可能となる。
【００１３】
前記遠隔監視動作確認システムでは、少なくとも前記技術員携帯端末に対して通信可能に接続されたサーバーを備え、前記サーバーは、前記昇降装置の状態に関する情報を前記技術員携帯端末に出力させる第１実行ファイルを有し、前記技術員携帯端末は、前記第１実行ファイルを操作可能なブラウザを有してもよい。
【００１４】
かかる構成によれば、サーバーが前記第１実行ファイルを有するため、技術員携帯端末が前記第１実行ファイルを有する必要が無く、技術員携帯端末のメモリ容量を抑えることができる。
【００１５】
また、前記遠隔監視動作確認システムでは、前記遠隔監視ユニットは、前記監視端末を介して前記昇降装置の状態に関する情報を前記技術員携帯端末に送り、前記ブラウザは、前記第１実行ファイルの実行により、前記技術員携帯端末に前記昇降装置の状態に関する情報を出力させてもよい。
【００１６】
かかる構成によれば、技術員は、技術員携帯端末で昇降装置の状態に関する情報を視覚的に確認できるため、昇降装置の状態を把握しやすい。
【００１７】
また、前記遠隔監視動作確認システムでは、前記技術員携帯端末は、前記昇降装置の状態に関する情報を該技術員携帯端末に出力させる第２実行ファイルを有し、前記遠隔監視ユニットは、前記昇降装置の状態に関する情報を前記技術員携帯端末に送り、前記第２実行ファイルの実行によって前記技術員携帯端末に前記昇降装置の状態に関する情報を表示させてもよい。
【００１８】
かかる構成によれば、技術員携帯端末が第２実行ファイルを有するため、サーバーが第２実行ファイルを有する必要が無く、サーバーのメモリ容量を抑えることができる。
【発明の効果】
【００１９】
以上より、本発明によれば、昇降装置に対する遠隔監視システムの動作確認を一人の技術員によって行うことのできる昇降装置の遠隔監視動作確認システムを提供することができる。
【図面の簡単な説明】
【００２０】
【図１】図１は、本発明の一実施形態に係る遠隔監視動作確認システムのブロック図である。
【図２】図２は、同実施形態に係る遠隔監視動作確認システムの処理を示すフローチャート図である。
【図３】図３は、本発明の変形例に係る遠隔監視動作確認システムのブロック図である。
【図４】図４は、本発明の変形例に係る遠隔監視動作確認システムのブロック図である。
【図５】図５は、本発明の変形例に係る遠隔監視動作確認システムのブロック図である。
【発明を実施するための形態】
【００２１】
以下、本発明に係る昇降装置の遠隔監視動作確認システム（以下、単に動作確認システムという）について説明する。動作確認システムは、昇降装置の動作状態を遠隔で監視する遠隔監視システムの動作確認を行うシステムである。この動作確認システムは、新設の昇降装置や補修後の昇降装置等において、遠隔監視システムを作動させる前段として行われる。動作確認システムでは、例えば、遠隔監視の対象となる昇降装置の動作や、該昇降装置とこれを監視する監視端末との通信が適正に行われるか否かを確認する。なお、昇降装置にはエレベータ、エスカレータ等があるが、以下では、エレベータの遠隔監視システムを対象とする動作確認システムを説明する。
【００２２】
動作確認システムは、図１に示すように、エレベータ２の状態に関する情報を出力する情報出力部２１を有するエレベータ２と、情報出力部２１と通信可能なＣＰＵ（Ｃｅｎｔｒａｌ  Ｐｒｏｃｅｓｓｉｎｇ  Ｕｎｉｔ、通信部）３０を有する遠隔監視ユニット３と、ＣＰＵ３０に接続された監視端末４と、監視端末４に接続可能な技術員携帯端末５（以下、単に携帯端末５と言う）とを備える。
【００２３】
エレベータ２は、かごや昇降路等を有する動作部２０と、エレベータ２の状態に関する情報を出力する情報出力部２１とを有する。本実施形態のかごは、メッセージを表示可能な表示パネルを有する。本実施形態の情報出力部２１は、エレベータ２の運転状況を示すコードを出力する制御マイコン２１０、かご内の利用者と音声通話可能なインターホン等の双方向通話器２１１、かご内を撮影するカメラ等の撮影機２１２、かごやカウンターウェイト周辺の音を出力するマイクロフォン等の集音器２１３、人感センサーや地震感知器等の検出センサー２１４、及び、エレベータ２の電源に関する情報を出力する電源監視機器２１５等を有する。
【００２４】
制御マイコン２１０は、エレベータ２の状態に関する情報として、例えば、エレベータ２における異常発生の通報（以下、発報と言う）を行うと共に、かごドアの開閉、及び、かごの位置情報等を出力する。エレベータ２の異常とは、かごドアや乗り場ドアの故障、かご照明の寿命等である。具体的に、制御マイコン２１０は、エレベータ２の状態毎に振り分けられたコードを出力する。
【００２５】
双方向通話器２１１は、エレベータ２の状態に関する情報として、例えば、かご内の音声を出力する。
【００２６】
集音器２１３は、エレベータ２の状態に関する情報として、例えば、周辺音を出力する。
【００２７】
撮影機２１２は、エレベータ２の状態に関する情報として、例えば、かご内の映像（静止画像や動画像）を出力する。
【００２８】
検出センサー２１４は、エレベータ２の状態に関する情報として、例えば、かご内の人の有無に関する情報を出力する。具体的に、検出センサー２１４は、リレー接点を介して、この情報を出力する。
【００２９】
電源監視機器２１５は、エレベータ２の状態に関する情報として、例えば、エレベータ２の電源のオンオフ情報を出力する。
【００３０】
遠隔監視ユニット３は、通信を行うＣＰＵ（通信部）３０を有する。また、遠隔監視ユニット３は、情報出力部２１から出力されたエレベータ２の状態に関する情報を受けて、この情報を監視端末４に出力する。
【００３１】
遠隔監視ユニット３のＣＰＵ３０は、情報出力部２１（制御マイコン２１０、双方向通話器２１１、撮影機２１２、集音器２１３、検出センサー２１４及び電源監視機器２１５等）にそれぞれ有線、例えば、Ｐ２Ｐ（Ｐｅｅｒ  ｔｏ  Ｐｅｅｒ）により接続されている。また、遠隔監視ユニット３のＣＰＵ３０は、通信系統（第一の通信系統）Ｒ１を介して監視端末４に接続されている。通信系統Ｒ１は、例えば、二つのモデム及び電話回線を含む通信系統である。
【００３２】
監視端末４は、プログラムを実行するＣＰＵ４０と、ＣＰＵ４０で実行されるプログラムを記憶する記憶部４１とを有する。本実施形態の監視端末４は、表示部（図示なし）を備える。本実施形態の監視端末４は、例えば、複数の地域に設置された多数のエレベータの監視を行うと共に、対象となるエレベータと離れた建物である監視センター等に設置されている。本実施形態の監視センターには、監視員（オペレータ）が常駐している。
【００３３】
監視端末４は、通信系統Ｒ１と異なる通信系統（第二の通信系統）Ｒ２を介して携帯端末５に接続可能である。通信系統Ｒ２は、例えば、モデム、インターネット、ルーター、及び無線通信を含む通信系統である。ここでいう無線通信は、例えば、携帯電話通信である。このように、遠隔監視ユニット３が通信系統Ｒ１を介して監視端末４に接続され、且つ、監視端末４が通信系統Ｒ２を介して携帯端末に接続可能である。本実施形態の携帯端末５は、通信系統Ｒ１及び通信系統Ｒ２を介して、遠隔監視ユニット３と通信可能である。
【００３４】
本実施形態の記憶部４１は、ＣＰＵ４０が実行するアプリケーションである遠隔監視アプリケーション４１０を記憶している。遠隔監視アプリケーション４１０は、エレベータ２を遠隔監視するためのアプリケーションである。
【００３５】
本実施形態のＣＰＵ４０は、通常の遠隔監視の際に、記憶部４１に記憶されている遠隔監視アプリケーション４１０を実行することで、遠隔監視ユニット３からエレベータ２の状態に関する情報の入力を受ける。また、遠隔監視アプリケーション４１０の実行により、監視端末４は、例えば、入力を受けた情報を表示部に表示する。これにより、監視員が、監視端末４によりエレベータ２の動作状態を監視することができる。
【００３６】
また、本実施形態のＣＰＵ４０は、通常の遠隔監視の際に、監視員からの遠隔操作の指令を受けると、遠隔監視アプリケーション４１０の実行により、エレベータ２を遠隔操作する。即ち、監視員は、監視端末４を用いて、遠隔監視アプリケーション４１０の実行によりエレベータ２の遠隔操作を行うことができる。この遠隔操作により、例えば、エレベータ２のかごを移動させること等が可能である。
【００３７】
さらに、本実施形態のＣＰＵ４０は、遠隔監視システムの動作確認の際に、遠隔監視ユニット３からエレベータ２の状態に関する情報の入力を受けると、遠隔監視アプリケーション４１０を実行せず、入力されたエレベータ２の状態に関する情報を携帯端末５に出力する。即ち、遠隔監視システムの動作確認の際に、遠隔監視ユニット３から出力されたエレベータ２の状態に関する情報は、監視端末４を通過（スルー）して、携帯端末５に出力される。
【００３８】
また、本実施形態のＣＰＵ４０は、遠隔監視システムの動作確認の際に、技術員の携帯端末５からエレベータ２の遠隔操作の指令を受けると、遠隔監視アプリケーション４１０を実行せず、入力されたエレベータ２の遠隔操作に関する情報を遠隔監視ユニット３に出力する。即ち、遠隔監視システムの動作確認の際に、携帯端末５から出力されたエレベータ２を遠隔操作する情報は、監視端末４を通過（スルー）して、遠隔監視ユニット３に出力される。
【００３９】
携帯端末５は、プログラムを実行するＣＰＵ５０と、ＣＰＵ５０で実行されるプログラムを記憶する記憶部５１と、表示部、スピーカー、及びマイク（図示なし）とを有する。携帯端末５は、例えば、ＰＤＡ（Ｐｅｒｓｏｎａｌ  Ｄｉｇｉｔａｌ  Ａｓｓｉｓｔａｎｔ）である。本実施形態の携帯端末５は、遠隔監視システムの動作確認の際に、技術員により操作される。具体的に、携帯端末５は、技術員により音声等を用いてハンズフリーに操作される。尚、遠隔監視システムの動作確認の際に、この技術員は、遠隔監視の対象となるエレベータ２の周辺に滞在している。
【００４０】
本実施形態の記憶部５１は、ＣＰＵ５０が実行するプログラムである遠隔操作アプリケーション（第２実行ファイル）５１０を記憶している。遠隔操作アプリケーション５１０は、監視端末４の遠隔監視アプリケーション４１０の機能に加えて、遠隔操作によりエレベータ２に対して疑似的なトラブルを生じさせる機能を有する。
【００４１】
本実施形態のＣＰＵ５０は、遠隔監視システムの動作確認の際に、遠隔監視ユニット３から監視端末４を介して、即ち、通信系統Ｒ１，Ｒ２を介してエレベータ２の状態に関する情報の入力を受けると、記憶部５１に記憶されている遠隔操作アプリケーション５１０を実行し、携帯端末５にエレベータ２の状態に関する情報を表示させる。即ち、ＣＰＵ５０は、遠隔操作アプリケーション５１０の実行により、エレベータ２の状態に関する情報を携帯端末５に表示させる。
【００４２】
また、本実施形態のＣＰＵ５０は、遠隔監視システムの動作確認の際に、技術員からの遠隔操作の指令を受けると、遠隔操作アプリケーション５１０の実行により、エレベータ２を遠隔操作する。即ち、技術員は、携帯端末５を用いて、遠隔操作アプリケーション５１０の実行によりエレベータ２の遠隔操作を行うことができる。この遠隔操作では、通常の遠隔操作に加えて、例えば、エレベータ２に対してかごを乗り場とずれた位置に停止させる等の疑似的なトラブルを生じさせることができる。
【００４３】
以下、図２のフローチャート図を用いて、動作確認システム１における処理の流れを説明する。
【００４４】
技術員は、遠隔監視の対象となるエレベータ２の周辺において、携帯端末５の通信を開始させる（Ｓ０１）。この通信の開始の際、例えば、携帯端末５は、監視端末４のＣＰＵ４０に、通信系統Ｒ２を介して、遠隔監視システムの動作確認が開始する旨の信号を出力する。ＣＰＵ４０は、この信号の入力により、遠隔監視ユニット３から通信系統Ｒ１を介して出力されたエレベータ２の状態に関する情報を、監視端末４を通過（スルー）させて、通信系統Ｒ２を介して、携帯端末５に出力する。このとき、上述したように、監視端末４の遠隔監視アプリケーション４１０は実行されない。
【００４５】
技術員は、遠隔操作アプリケーション５１０を実行し（Ｓ０２）、遠隔監視システムの動作確認を行う（Ｓ０３）。ここでいう遠隔監視システムの動作の確認は、エレベータ２と監視端末４との通信系統との通信が適正であること、情報出力部２１から遠隔監視ユニット３及び通信系統Ｒ１を介して監視端末４に適正な情報が出力されること、及び、エレベータ２の遠隔操作が適正であると確認することで行われる。尚、遠隔監視ユニット３から通信系統Ｒ１を介して監視端末４に出力され、且つ、監視端末４から通信系統Ｒ２を介して携帯端末５に出力された何らかの情報が携帯端末５に表示された時点で、技術員は、エレベータ２と監視端末４との通信系統Ｒ１を介した通信接続が適正であると確認できる。即ち、エレベータ２から携帯端末５に適正な情報が出力される旨を確認できれば、エレベータ２と監視端末４との通信系統Ｒ１を介した通信接続は適正であると言える。
【００４６】
例えば、技術員は、実際に目視したエレベータの状態と、携帯端末５で確認したエレベータ２の状態に関する情報とが一致することを確認することで、監視端末４に適正な情報が出力されている旨を確認できる。例えば、制御マイコン２１０について、技術員は、エレベータ２を直接操作してかごの位置を移動させ実際のかごの位置を確認すると共に、制御マイコン２１０から出力された「かごの位置情報」を携帯端末５で確認する。双方向通話器２１１について、技術員は、携帯端末５を所持したままかご内に移動し、携帯端末５のマイクに話しかけると共にかごのインターホンに出力された音声を確認した後、かごのインターホンに話しかけると共に携帯端末５のスピーカーから出力された音声を確認する。撮影機２１２について、技術員は、かご内の実際の様子と、撮影機２１２から携帯端末５に出力された撮影画像とを確認する。集音器２１３について、技術員は、実際のかごやカウンターウェイト周辺の音を確認すると共に、集音器２１３により集音された周辺音を携帯端末５で確認する。検出センサー２１４について、技術員は、かごの外からかご内に移動し、人感センサーから出力されたかご内の人の有無に関する情報を携帯端末５で確認する。電源監視機器２１５について、技術員は、エレベータ２の電源のオンオフを切り替え、電源監視機器２１５から出力された電源状態情報を携帯端末５で確認する。
【００４７】
また、技術員は、携帯端末５の遠隔操作アプリケーション５１０を実行してエレベータ２を遠隔操作することで、エレベータ２の遠隔操作が適正であることを確認できる。例えば、技術員は、携帯端末５の遠隔操作アプリケーション５１０を実行して、かご内の表示パネルにメッセージを表示させると共に、かご内の表示パネルにこのメッセージが表示されていることを確認する。技術員は、携帯端末５の遠隔操作アプリケーション５１０を実行して、かごを移動させると共に、実際のかごの移動を確認する。
【００４８】
さらに、技術員は、遠隔操作アプリケーション５１０を実行して、エレベータ２に対して疑似的なトラブルを生じさせ、このトラブルが検出できるか否かを確認することができる。例えば、遠隔操作アプリケーション５１０の実行により、エレベータ２に対してかごを乗り場とずれた位置に停止させる等のトラブルを生じさせた後、このトラブルに対応する情報が携帯端末５に出力されることを確認する。
【００４９】
このように、技術員は、遠隔監視システムの動作を確認することができる。
【００５０】
以上のように、携帯端末５は、通信系統Ｒ１及び通信系統Ｒ２を通じて遠隔監視ユニット３と通信することで、エレベータ２の動作を確認できると共に、通信系統Ｒ２を通じて監視端末４と通信することで、監視端末４が遠隔監視ユニット３からエレベータ２の情報を受信できているか否か（即ち、通信系統Ｒ１への遠隔監視ユニット３の接続の有無等）も確認できる。これにより、技術員が現場で（対象となるエレベータ２の周辺で）携帯端末５を所持することで、エレベータ２の遠隔監視システムを実行できる状態であるか否かを、一人の技術員によって確認することができる。
【００５１】
尚、本発明の動作確認システム１は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５２】
例えば、動作確認システム１では、携帯端末５の記憶部５１が遠隔操作アプリケーション５１０を有するが、携帯端末５の記憶部５１の代わりに、サーバーの記憶部がこのようなアプリケーションを有してもよい。具体的に、動作確認システムは、図３に示すように、サーバー６を備える。サーバー６は、通信系統Ｒ１及び通信系統Ｒ２とは異なる通信系統（第四の通信系統）Ｒ４を介して携帯端末５に対して接続可能である。通信系統Ｒ４は、例えば、モデム、インターネット、ルーター、及び無線通信を含む通信系統である。なお、通信系統Ｒ２，Ｒ４の一部（インターネット、ルーター、及び無線通信）は共通している。
【００５３】
サーバー６は、プログラムを実行するＣＰＵ６０と、ＣＰＵ６０で実行されるプログラムを記憶する記憶部６１とを有する。サーバー６の記憶部６１は、遠隔操作アプリケーション（第１実行ファイル）６１０を有する。本実施形態のサーバー６は、クラウドサーバーである。
【００５４】
携帯端末５の記憶部５１は、遠隔操作アプリケーション６１０を操作可能なブラウザ５１１を有する。具体的に、ブラウザ５１１は、遠隔操作アプリケーション６１０を実行可能であり、これを実行することにより、携帯端末５は、エレベータ２の状態に関する情報を表示部に表示可能である。
【００５５】
かかる構成では、サーバー６が遠隔操作アプリケーション６１０を有するため、携帯端末５がこのアプリケーションを有する必要が無く、携帯端末５のメモリ容量（記憶部５１等の容量）を抑えることができる。
【００５６】
また、技術員は、携帯端末５でエレベータ２の状態に関する情報を視覚的に確認できるため、エレベータ２の状況を把握しやすい。
【００５７】
携帯端末５は、通信系統Ｒ１及び通信系統Ｒ２を介して遠隔監視ユニット３と通信可能であったが、通信系統Ｒ１，Ｒ２と異なる通信系統（第三の通信系統）Ｒ３を介して遠隔監視ユニット３のＣＰＵ３０と接続可能であってもよい。
【００５８】
この場合、図４に示すように、例えば、遠隔監視ユニット３と通信系統Ｒ１の電話回線とが未だ接続されていない場合、まず、携帯端末５と遠隔監視ユニット３とを通信系統Ｒ３を介して接続し、通信系統Ｒ３を用いて監視端末４を含まずに遠隔監視ユニットの動作確認を行ってもよい。通信系統Ｒ３は、Ｐ２Ｐ、その他有線回線、又は、無線回線を含む通信系統である。
【００５９】
なお、遠隔監視ユニット３のＣＰＵ３０と携帯端末５とが通信系統Ｒ３を介して接続可能な構成であっても、図５に示すように、動作確認システム１が遠隔操作アプリケーション６１０を有するサーバー６を備えると共に、携帯端末５はブラウザ５１１を有していてもよい。
【００６０】
かかる構成では、携帯端末５が通信系統Ｒ３を介して遠隔監視ユニット３に接続されることで、遠隔監視ユニット３の通信系統Ｒ１への接続の有無にかかわらず、携帯端末５によってエレベータ２の監視端末４を除く遠隔監視システムの動作確認をすることが可能となる。なお、この動作確認を行った後、通信系統Ｒ１，Ｒ２を介して遠隔監視ユニット３から出力されたエレベータ２の状態に関する情報を、技術員が携帯端末５で確認できれば、遠隔監視システムの動作確認を行ったことになる。
【００６１】
携帯端末５は、通信系統Ｒ１及び通信系統Ｒ２を介して遠隔監視ユニット３と通信可能であったが、これに加えて、通信系統Ｒ１の電話回線と通信可能に接続されることにより、通信系統Ｒ２を介さずに遠隔監視ユニット３と通信可能であってもよい。この場合、電話回線を介して携帯端末５を遠隔監視ユニット３のＣＰＵ３０に接続できるため、監視端末４を介することなく、遠隔監視ユニット３が電話回線に接続されているか否かの確認を行うことができる。
【００６２】
監視端末４を介することなく、遠隔監視ユニット３が電話回線に接続されているか否かの確認を行う場合として、動作確認システム１において、例えば、動作確認の対象であるエレベータ２とは異なるエレベータと監視端末４とが電話回線を介して接続されており、既にこの通信が可能であると確認されている場合が考えられる。この場合、対象のエレベータ２を監視する遠隔監視ユニット３に接続された電話回線と携帯端末５とを接続し、この遠隔監視ユニット３、電話回線、及び携帯端末５を含む通信系統の動作確認を行うことで、対象のエレベータ２と監視端末４との電話回線を介した通信が可能であることを確認できる。
【００６３】
上記実施形態の動作確認システム１では、携帯端末５が通信系統Ｒ１，Ｒ２を介して遠隔監視ユニット３と通信可能であれば、各通信系統の具体的な構成は特に限定されない。例えば、上記実施形態の情報出力部２１は、遠隔監視ユニット３のＣＰＵ３０にＰ２Ｐにより接続されていたが、この代わりに、有線回線を用いたインターネット、又は、無線通信により接続されてもよい。また、通信系統Ｒ１におけるＣＰＵ３０と電話回線との間、及び、電話回線と監視端末４との間にはモデムが介在していたが、モデムの代わりに、ＤＳＵ（Ｄｉｇｉｔａｌ  Ｓｅｒｖｉｃｅ  Ｕｎｉｔ）が介在していてもよい。
【００６４】
上記実施形態の動作確認システム１では、遠隔監視アプリケーション４１０の実行により監視端末４にエレベータ２の状態に関する情報が表示され、遠隔操作アプリケーション５１０の実行により携帯端末５にこの情報が表示されていたが、監視端末４や携帯端末５がスピーカーを有していれば、この情報を表示する代わりに、情報をメッセージとして音声で出力してもよい。また監視端末４や携帯端末５は、この情報の表示と音声出力との両方を行ってもよい。
【００６５】
上記実施形態のエレベータ２は、一台であったが、エレベータ２は複数台であってもよい。この場合、一つの遠隔監視ユニット３が複数台のエレベータ２を監視してもよいし、一つの遠隔監視ユニット３が一台のエレベータ２を監視するように複数の遠隔監視ユニット３が複数台のエレベータ２を監視してもよい。
【００６６】
上記実施形態のサーバー６は、クラウドサーバーであったが、自社サーバーであってもよい。また、上記実施形態のサーバー６は、一つであったが、複数であってもよい。
【符号の説明】
【００６７】
１…動作確認システム、２…エレベータ（昇降機）、２１…情報出力部、３…遠隔監視ユニット、４…監視端末、５…携帯端末（技術員携帯端末）、Ｒ１…通信系統（第一の通信系統）、Ｒ２…通信系統（第二の通信系統）
【図１】
2018058688.tif 000003
【図２】
2018058688.tif 000004
【図３】
2018058688.tif 000005
【図４】
2018058688.tif 000006
【図５】
2018058688.tif 000007